Podtech/llm-jp-corpus-v4-ja_patent huggingface dataset:
(57)【要約】      （修正有）【課題】ケヒキの罫書き棹をコンパクトかつ安全にケヒキ本体に収容する構造を提供する。【解決手段】１枚または２枚の罫書き棹２および罫書き刃３を最大に引き出した状態で、罫書き棹の位置固定用の締め付けナット４および不回転固定ボルト１２を中心としてケヒキ本体１側に９０度回転させ、ケヒキ本体の形状に合一する態様で収容する。【選択図】図２
0003158886.tif 000002
【実用新案登録請求の範囲】
【請求項１】
１枚または２枚の罫書き棹２および罫書き刃３を最大に引き出した状態で、罫書き棹の位置固定用の締め付けナット４および不回転固定ボルト１２を中心としてケヒキ本体１側に９０度回転させ、ケヒキ本体の形状に合一する態様に収容できるようにした回転収容式ケヒキ。
【考案の詳細な説明】
【技術分野】
【０００１】  本考案は、ケヒキの罫書き棹をコンパクトかつ安全にケヒキ本体に収容する機能ならびに構造に関するものである。
【背景技術】
【０００２】  材料の直線部に平行する罫書き線を引くケヒキは古くからの工具であるが、目立った進歩がなく現在に至っている。
【先行技術文献】
【実用新案文献】
【０００３】
【実用新案文献１】
実用新案出願公告  昭４９−３６０７８
【考案の概要】
【考案が解決しようとする課題】
【０００４】  従来のケヒキは、罫書き棹のスライドと収容が、ケヒキ本体と直角方向に限定されており、常に十字形ないしはＴ字形の形態でかさばるために、置く場所に無駄なスペースを要し、他の工具類とからまりやすく、さらに罫書き刃がわずかでも露出していると大変危険であった。
【課題を解決するための手段】
【０００５】  罫書き棹を最大に引き出した状態で、罫書き棹の位置固定用の締め付けナットおよびボルトを中心としてケヒキ本体側に９０度回転させ、ケヒキ本体の形状に合一する態様に収容することにより問題点を解決している。
【考案の効果】
【０００６】  本考案によるケヒキは、罫書き棹および罫書き刃をケヒキ本体に収容することにより、優れた省スペース性、携帯性、安全性を実現するとともに、使用状態から収容状態へ、また収容状態から使用状態へと、どちらも瞬時に移行できる高い操作性をあわせ持つ。
【図面の簡単な説明】
【０００７】
【図１】本考案のケヒキの使用状態における実施例を示す左側面からの斜視図である。
【図２】本考案のケヒキの罫書き棹を最大に引き出して９０度回転させ、ケヒキ本体に収容した状態における実施例を示す左側面からの斜視図である。
【図３】本考案のケヒキの罫書き棹をケヒキ本体に収容した状態における実施例を示す右側面図である。
【考案を実施するための形態】
【０００８】  直方体箱状のケヒキ本体に、罫書き棹を本体に対して直角に摺動させるガイドを設ける。罫書き棹の中心線上には、罫書き棹の位置固定用の不回転固定ボルトを通す細長い切り込み穴を摺動方向に設ける。そして、罫書き棹を最大に引き出した状態で、不回転固定ボルトを中心としてケヒキ本体側に９０度回転させた時、罫書き刃部がケヒキ本体に突き当たる位置に罫書き刃部が嵌入する形に穴を開ける。以上により、罫書き棹はケヒキ本体との直角状態を解消して収容され、同時に罫書き刃部の危険性を排除する。
【実施例】
【０００９】  以下、添付図面に従って一実施例を説明する。１は樹脂または軽合金等にて成型された直方体箱状のケヒキ本体である。罫書き棹２と罫書き刃３は鉄またはステンレス製で一体をなし、添付図面では繁用される２枚棹方式を実施例として示す。使用においては、座金５の上の締め付けナット４を緩めて罫書き棹の切り込み穴６が摺動できるようにした後、罫書き刃３が目的の寸法となるよう罫書き棹２を直角維持ガイド部７に沿って摺動させ、締め付けナット４と本体側の不回転固定ボルト１２とにより締め付けて罫書き棹２を固定する。狭小な寸法で罫書く場合には罫書き刃３を罫書き刃引き込み穴１０に適宜嵌入させて調整する。【００１０】  罫書き刃３をケヒキ本体１に収容するには、罫書き棹２を最大に引き出し、罫書き棹半円部８によって罫書き棹の直角維持を解除し、不回転固定ボルト１２を中心としてケヒキ本体側に９０度回転させる。回転した罫書き刃３を、ケヒキ本体に突き当たる位置に設けた罫書き刃収容穴１１に嵌入させて収容し、締め付けナット４を締めて罫書き棹を固定する。その時、本体に設けた罫書き棹止め９によって罫書き刃３の収容後の安全な位置を確定する。この逆の操作を行えば収容状態から使用状態へと瞬時に移行できる。【００１１】  本考案による一実施例では、罫書き棹２、罫書き刃３を、繁用される２枚棹方式、いわゆる２丁ケヒキとして説明したが、当然１枚棹方式であっても全く同様の課題解決を達成する。
【符号の説明】
【００１２】  １  ケヒキ本体
２  罫書き棹
３  罫書き刃
４  締め付けナット
５  座金
６  罫書き棹の切り込み穴
７  直角維持ガイド部
８  罫書き棹半円部
９  罫書き棹止め
１０  罫書き刃引き込み穴
１１  罫書き刃収容穴
１２  不回転固定ボルト
【図１】
0003158886.tif 000003
【図２】
0003158886.tif 000004
【図３】
0003158886.tif 000005
(57)【要約】      （修正有）【課題】手に持つものを、地面に置かずに一時的に身体より離すことができるマグネットフックを提供する。【解決手段】フックは、屈曲自在の素材の両端に永久マグネットを有する。【選択図】図１
0003158811.tif 000002
【実用新案登録請求の範囲】
【請求項１】
屈曲自在の素材の両端に永久マグネットを有するフック。
【請求項２】
請求項１のフックでマグネットがネオジュウムマグネットであるフック。
【考案の詳細な説明】
【技術分野】
【００１】  両端に永久マグネットを有する屈曲可能なフックに関するものである。
【背景技術】
【００２】イ）  従来マグネットを使用したスチールボードにとめる物とか、ネックレス等の両端にマグネットを有し、それを磁着させる事により結合させるものはある。（特開２００５−２１１６０８）しかしマグネットを利用して本考案の如く結束に利用したケースない。
ロ）  紐状体の結束具でマグネットを利用したものはあるが、結合部がハウジングになりその奥にマグネットを具備しているため製造が複雑であり、装着に手間がかかる。（特開  ２００４−１６７０７２）
【考案の開示】
【考案が解決しようとする課題】
【００３】  婦人がショルダーバッグ、ハンドバッグ等を肩にかけたまま、前かがみになって足元をさわる時、ショルダーバッグが肩からずり落ちる。
イ）  傘を畳んで持っている時に、両手を使いたい場合，傘が邪魔になって手が使えない。
ロ）  ズボン、シャツをまくりあげて仕事をする場合、すぐずり落ちて困ることがある。シャツの場合はうで抜きがあるが、ズボンにはこれに代わる物はない。
【課題を解決する為の手段】
【００４】イ）  本考案は屈曲可能な棒状または紐状の両端に永久マグネットを固定しこれを折り曲げてマグネット同志を固着させることにより、それを近くのスチール製の物に磁着させる。
ロ）  マグネットの強度は用途により選択自由であり、マグネットの形状も円柱、角柱、星形であってもよい。
ハ）  また、両端にマグネットを有する素材は紐状であっても良いしベルト状でも良い。
【考案の効果】
【００５】  本考案のマグネットフックを使用する事により、バッグ、傘等手に持って邪魔になるものを地面に置かずに、一時的に身体より離すことが出来る。
【考案を実施するための形態】
イ）  本発明の実施の形態を実施例に図１を参照して説明する。
屈曲可能な素材の両端にフェライトマグネットを固着した本考案の一つの実施形態である。
ロ）  この場合屈曲可能な素材はサントプレーンを使用し、厚み０．５ｍｍ幅１５ｍｍ、全長２００ｍｍで両端に３０ｍｍΦの円形のマグネット保持部を有する。
ハ）  マグネットは表面を酸とプレーンでカバーされ、上綿のカバーは切れ込みがあり、マグネットは着脱可能になっている。
二）  図４はズボンの裾をまくりあげ、それをずれないように本考案のマグネットフックで結束した使用例である。
ホ）  まくりあげたズボンの裾の内側と外側の本考案のマグネットフックの両端のマグネット部分をあてがい、ズボンの内側と外側のマグネットを磁着する。
ヘ）  これにより、ズボンの裾のずり下がりが防止できる。
【図面の簡単な説明】
【図１】  本考案の平面図である。
【図２】  本考案の側面図である。
【図３】  本考案のフックを使用して傘を身体から手を自由にする使用例である。
【図４】  ズボンの裾をまくりあげ、それをずり落ちないようにした、実施例である。
【符号の説明】  １．永久マグネット
２．屈曲自在な素材
【図１】
0003158811.tif 000003
【図２】
0003158811.tif 000004
【図３】
0003158811.tif 000005
【図４】
0003158811.tif 000006
(57)【要約】      （修正有）【課題】高速度で回転しても研磨面の温度上昇を防止することができる、自動車の車体表面を研磨するバフ材を提供する。【解決手段】バフ材は円柱状であり、水を主成分とした静電防止剤を含ませた液体に含浸されて成る。【選択図】図１
0003158815.tif 000002
【実用新案登録請求の範囲】
【請求項１】
金属面から成る自動車の車体表面を研磨するバフ材であって、
水を主成分とし静電防止剤を含ませた液体を含浸させて成ることを特徴とするバフ材。
【考案の詳細な説明】
【技術分野】
【０００１】
本考案は、自動車修理における塗装工程で使用されるバフ材に関し、特に、塗装工程におけるバフ熱や静電気の発生を防止できるバフ材に関する。
【背景技術】
【０００２】
自動車修理において車体表面のつや出しや塗装の仕上げを行うに際して、例えば砥粒等の遊離研磨材を保持する研磨面を有する円柱状のバフ材を機械工具で回転させて車体表面を研磨することが行われている。
【０００３】
しかしながら、円柱状のバフ材を車体表面上に対して高速度で回転させた場合、研磨面の温度が例えば７０〜１００℃以上に上昇し、塗装面にむらや変色が発生し、良好な仕上げ面を得ることが困難であるという問題点があった。
【０００４】
この問題を解決するため、例えば特許文献１に示すようにバフ材の表面に格子状の突起部を設けることで、温度上昇を防止する構造が提案されているが、研磨面の温度上昇の防止に対して十分な効果が得られなかった。
【先行技術文献】
【特許文献】
【０００５】
【特許文献１】特開平１１−３００６３０
【考案の概要】
【考案が解決しようとする課題】
【０００６】
特に、近年、軽量化のため、厚さが薄い高張力鋼板が車体に使用されているので、研磨による金属面の変形等の発生を回避するのが困難であった。
【０００７】
本考案は上記事情に鑑みて提案されたもので、バフ材が高速度で回転しても研磨面の温度上昇を防止することができるバフ材を提供することを目的とする。
【課題を解決するための手段】
【０００８】
上記目的を達成するため本考案のバフ材は、金属面から成る自動車の車体表面を研磨するに際して使用するもので、水を主成分とし静電防止剤を含ませた液体を含浸させて成ることを特徴としている。
【考案の効果】
【０００９】
本考案のバフ材によれば、水を主成分とし静電防止剤を含ませた液体が含浸されているので、バフ材を使用して金属面を研磨した場合、研磨面とバフ材との間に水を主成分とし静電防止剤を含ませた液体を介在させることができ、研磨面での静電気の発生を防いで温度上昇を防止することができる。
その結果、研磨面に塗装むらが発生することを防止して、品質良好な仕上げ状態を保持することができる。
【図面の簡単な説明】
【００１０】
【図１】本考案のバフ材を示す斜視説明図である。
【図２】バフ材を機械工具に装着した状態を示す斜視説明図である。
【考案を実施するための形態】
【００１１】
本考案のバフ材の実施例について、図面を参照しながら説明する。
本考案のバフ材１は、金属面（高張力鋼板）を研磨するためウレタンフォーム等で形成された円柱状のバフ基材２に対して、水を主成分とし静電防止剤を含ませた液体３を含浸させて構成されている。バフ材１は、液体３を含浸させてその表面にある程度の液体３が存在する状態が可能な部材であればよく、ウレタンフォーム以外の他の樹脂材で形成してもよい。
【００１２】
静電防止剤は、静電気の発生を防止する機能を有するもので、水に対して溶融可能な潤滑剤で構成することでバフ基材２に含浸させることができる。
【００１３】
次に、本考案のバフ材を使用して自動車修理における車体表面のつや出しや塗装の仕上げを行う場合について説明する。
先ず、円柱状のバフ基材２を機械工具１０の回転部分に装着する。機械工具１０は、モータにより回転可能な軸を有して構成され、この軸部分にバフ基材２の中心位置４がマジックテープ等で連結できるようになっている。この状態で、バフ基部２に対して、その表面に対して、水を主成分とし静電防止剤を含ませた液体３を含浸させることで、バフ材１となる。
そして、このバフ材１を自動車の車体等の金属面上で回転させることで、金属面を研磨し塗装の仕上げ作業を行う。
【００１４】
バフ材１を使用して金属面を研磨した場合、研磨面とバフ材１との間に水を主成分とし静電防止剤を含んだ液体３を介在させることができ、研磨面での静電気の発生を防いで温度上昇（７０℃以上になる状態）を防止することができるので、金属面に凹凸が発生するのを防止できる。
その結果、研磨面に塗装むらが発生することを防ぎ、品質良好な仕上げ状態を保持することができる。
【００１５】
上述の作業では、バフ基部２に対して、その表面に対して、水を主成分とし静電防止剤を含ませた液体３を直接含浸させるようにしたが、研磨する金属面側に水を主成分とし静電防止剤を含んだ液体３を塗布し、その上からバフ基材２を回転させて研磨することで、研磨状態において、バフ基材２に液体３が含浸したバフ材１が構成されるような使用方法であってもよい。
【符号の説明】
【００１６】
１…バフ材、  ２…バフ基材、  ３…液体  １０…機械工具。
【図１】
0003158815.tif 000003
【図２】
0003158815.tif 000004
【手続補正書】
【提出日】平成22年2月11日(2010.2.11)
【手続補正１】
【補正対象書類名】実用新案登録請求の範囲
【補正対象項目名】全文
【補正方法】変更
【補正の内容】
【実用新案登録請求の範囲】
【請求項１】
金属面から成る自動車の車体表面を研磨するバフ材であって、
前記バフ材を円柱状に形成するとともに、前記バフ材に対して水を主成分とし静電防止剤を含ませた液体を含浸させて成ることを特徴とするバフ材。
【手続補正２】
【補正対象書類名】明細書
【補正対象項目名】０００７
【補正方法】変更
【補正の内容】
【０００７】
上記目的を達成するため本考案のバフ材は、金属面から成る自動車の車体表面を研磨するに際して使用するもので、円柱状に形成されるとともに、水を主成分とし静電防止剤を含ませた液体を含浸させて成ることを特徴としている。
【手続補正３】
【補正対象書類名】明細書
【補正対象項目名】００１２
【補正方法】変更
【補正の内容】
【００１２】
次に、本考案のバフ材を使用して自動車修理における車体表面のつや出しや塗装の仕上げを行う場合について説明する。
先ず、円柱状のバフ基材２を機械工具１０の回転部分に装着する。機械工具１０は、モータにより回転可能な軸を有して構成され、この軸部分にバフ基材２の中心位置４がマジックテープ（登録商標）等で連結できるようになっている。この状態で、バフ基部２に対して、その表面に対して、水を主成分とし静電防止剤を含ませた液体３を含浸させることで、バフ材１となる。
そして、このバフ材１を自動車の車体等の金属面上で回転させることで、金属面を研磨し塗装の仕上げ作業を行う。
(57)【要約】      （修正有）【課題】椅子に腰掛けたままで下半身を動かすことができる運動器具を提供する。【解決方法】突起のあるボールを１個又は複数個受皿に入れ足元に置き足を乗せる。【選択図】図３
0003158810.tif 000002
【実用新案登録請求の範囲】
【請求項１】
突起（４）のあるボール（１）を受皿（２）に１個又は複数個入れ、椅子に座った状態で、このボール（１）に足をのせ、下半身を動かす為の運動器具
【考案の詳細な説明】
【技術分野】
【０００１】本考案は、長時間椅子に座り同じ姿勢で仕事をしていると下半身の血流が悪くなり下半身が固まった様に感じてくる。そこで、突起のあるボール（１）を受皿（２）に入れ、この上に足を乗せ足首をまわし下半身を動かし血流を促すようにしたものである。
【考案の概要】
【考案が解決しようとする課題】
【０００２】長時間同じ姿勢で椅子に座り仕事をしていると足首が固まった様に感じ、又、腰も痛くなり、立ち上がる時腰が伸びない様になってくる。本考案はこの課題を解決する為になされたものである。
【課題を解決するための手段】
【０００３】座ったままの姿勢で下半身を動かす方法として、椅子の前側床面に置いた受皿（２）に、その受皿に入りその表面に複数の突起（４）が形成されたボール（１）を一個又は複数入れ、椅子に座ってボール（１）に足をのせ、ボール（１）を足裏で前後左右に動かし、又両膝を開閉することで股関節も開き座ったままの姿勢で下半身の運動ができるようにした。
【考案の効果】
【０００４】ボール（１）には、複数の突起（４）があり、足裏のツボを刺激し血流を促し筋肉を柔らかくし又、下半身を運動させることで椅子に座り同じ姿勢を長時間続けるとおこると言われている静脈血栓塞栓病（エコノミークラス症候群）の予防になる。
又、横になった姿勢（寝た姿勢）での使用は可能で足首の運動や足裏の刺激は勿論のことで、脹脛を刺激し血流を促し、ベット生活を余儀なくされている人は寝たままの姿勢で下半身の運動ができる。
【考案を実施するための形態】
【０００５】以下、本考案の実施の形態について説明する。
（イ）ボール（１）はゴム製でもプラスティック製でも木製でもよく又、突起は円錐型または円柱形の突起（４）が複数ついており、足裏に刺激を与える硬さを有する。
（ロ）ボール（１）を入れる受皿（２）はボールが転がりやすい様、円形で高さはボールの半径以下である。
（ハ）カバー（３）は本来、埃よけの役目としてあるが、昇り下りの階段運動のできる構造で上面は人が乗れる広さを要し潰れない強固な構造。
【図面の簡単な説明】
【０００６】
【図１】本考案の使用時の平面図である
【図２】本考案のボールの平面図である
【図３】本考案をセットした図である
【図４】本考案のカバーの平面図である
【符号の説明】
【０００７】１    突起のあるボール
２    ボールをいれる受皿
３    カバー
４    ボールの表面にある突起
【図１】
0003158810.tif 000003
【図２】
0003158810.tif 000004
【図３】
0003158810.tif 000005
【図４】
0003158810.tif 000006
(57)【要約】      （修正有）【課題】運転に支承のきたしにくい位置で多様化された容器を保持するドリンクホルダーを提供する。【解決手段】金属やプラスチックを材質とし、１本の線材により一体となった飲料容器支持部とホルダー固定部からなり、ホルダー固定部は、ドア室内側壁の支えとなるドアポケットドア側押さえ部とドアボケット内側の支えとなるドアポケット室内側押さえ部により構成される。【選択図】図１
0003160883.tif 000002
【実用新案登録請求の範囲】
【請求項１】
自動車のドアポケット内部に、金属やプラスチック素材のばね力と形状を利用し固定される車載用ドリンクホルダー。
【請求項２】
飲料容器支持部の音止め及びドアポケット押さえ部の滑り止めに切り込みのあるC形状のチューブをはめ込んでおり、劣化や清掃時にこのチューブは簡単に取り外しが可能である車載用ドリンクホルダー
【考案の詳細な説明】
【技術分野】
【０００１】
本考案は、車載用ドリンクホルダーに属する。
【背景技術】
【０００２】
車載用ドリンクホルダーは、車室の内装部やドアトリム部に設置された載置型やエアコン送風口取り付け型、ドアに取り付ける形式のドア掛け型などの種類があり、運転者などが飲料缶やペットボトルなどの飲み物の容器を運転中に保持するために用いられる。
【考案の概要】
【考案が解決しようとする課題】
【０００３】
近年車載用ナビゲーションやオーディオその他の車載アクセサリパーツの多様化が進み、それらを設置した場合、運転者がドリンクホルダーをたやすく使用できる設置位置の確保が困難になってきた。また飲料容器の大型化多様化によりエアコン送風口取り付け型では使用できない容器も数多く見受けられる。
【０００４】
本考案は以上の事情に鑑みてなされたもであり、できるだけ費用をかけず、運転に支障のきたしにくい位置で多様化された容器を保持するドリンクホルダーを提供する事を目的とする。
【課題を解決するための手段】
【０００５】
本考案の車載用ドリンクホルダーは、金属やプラスチックなど製品本体の素材のばね力と形状を利用し、自動車ドアのポケットの内側に確実に固定されるドリンクホルダーである。
【考案の効果】
【０００６】
装着ははめ込むだけで簡単に設置でき、ドアポケットの前後幅に応じ運転者の体格に応じ前後に使いやすい場所に設置位置の変更が前後に可能である。
【０００７】
飲料容器の保持位置は従来にはなかったドアポケットの上部となり、従来の吊り下げ式のように乗降時の邪魔にもならない。保持位置の下に位置するドアポケットの使用も可能である。
【図面の簡単な説明】
【０００８】
【図１】本考案のドアドリンクホルダーの装着例を示す概略斜視図である。
【図２】本考案の実施の一形態によるドアドリンクホルダーに飲料容器を挿入した状態の概略斜視図である。
【図３】図１のドアドリンクホルダーの正面図である。
【図４】図１のドアドリンクホルダーの背面図である。
【図５】図１のドアドリンクホルダーの左側面図である。
【図６】図１のドアドリンクホルダーの平面図である。
【図７】図１のドアドリンクホルダーの底面図である。
【図８】音止め及び滑り止めのためのC形状のチューブの概略斜視図である。
【符号の説明】
【０００９】
Ａ  ドアドリンクホルダー
Ｂ  自動車ドアパネル内装
Ｃ  飲料容器
Ｄ  ドアパネル室内側ドアポケット
１  飲料容器支持部
２  ドアポケット室内側押さえ
３  ドアポケットドア側押さえ
４  飲料容器ずれ止め
５  音止めのためのC形状のチューブ
６  音止めのためのC形状のチューブ
７  音止めのためのC形状のチューブ
８  滑り止めのためのC形状のチューブ
【考案を実施するための形態】
【００１０】
図２は本考案の実施の一形態によるドアドリンクホルダーＡに飲料容器Ｃを挿入した状態の概略斜視図、図１はドアポケットに本考案のドアドリンクホルダーの装着例を示す概略斜視図である。
【００１１】
本考案のドアドリンクホルダーＡは金属やプラスチック素材でできており図２と図１のように、ドアポケット室内側押さえ２とドアポケットドア側押さえ３の外側に開こうとする素材の持つばね力と形状により、しっかりと固定される物である。飲料容器支持部１はドアポケット押さえ２及び３と一体化されドアポケット上部に位置する。
【００１２】
自動車走行時の振動などにより本考案のドアドリンクホルダーに飲料容器挿入時に起こりうる音止めの為のチューブを５，６，７にはめ込んでいる。又ドアポケット押さえの滑り止めチューブを８にはめ込んでいる。これらのチューブはC形状で切込みを有し簡単に取り外しが可能である。チューブの劣化時の交換や取り外しての清掃が容易に行える。
【図１】
0003160883.tif 000003
【図２】
0003160883.tif 000004
【図３】
0003160883.tif 000005
【図４】
0003160883.tif 000006
【図５】
0003160883.tif 000007
【図６】
0003160883.tif 000008
【図７】
0003160883.tif 000009
【図８】
0003160883.tif 000010
【手続補正書】
【提出日】平成22年4月18日(2010.4.18)
【手続補正１】
【補正対象書類名】実用新案登録請求の範囲
【補正対象項目名】全文
【補正方法】変更
【補正の内容】
【実用新案登録請求の範囲】
【請求項１】
金属やプラスチックを材質とし、１本の線材により一体となった飲料容器支持部（１）とホルダー固定部からなり、ホルダー固定部は、ドア室内側壁の支えとなるドアポケットドア側押さえ部（３）とドアボケット内側の支えとなるドアポケット室内側押さえ部（２）により構成され、このホルダー固定部によりドアポケットに固定される車載式ドリンクホルダー。
【請求項２】
飲料容器支持部（１）にはめ込まれたＣ形状チューブ（５）及び飲料容器底支持部にはめ込まれたＣ形状チューブ（６）（７）、ドアポケット室内側押さえ部（２）にはめこまれたＣ形状チューブを備える請求項１に記載した車載式ドリンクホルダー。
(57)【要約】      （修正有）【課題】高所又は遠距離でも危険を伴わず作業することができ、身体に害虫や薬剤の被害を受けにくい害虫駆除装置を提供する。【解決手段】竿と、竿の一方の端に取り付けられたハサミ刃と、竿のもう一方の端に取り付けられた刃稼働レバーと、竿の内部に配置されたワイヤーとワイヤーとハサミ刃とを連結する連動棒と、連動棒に固定された押し板と、押し板の上下運動によって薬剤入りスプレー缶のヘッドを押して薬剤を噴霧出来る位置に設けられた、スプレー缶保持装置とからなる。【選択図】図１
0003160885.tif 000002
【実用新案登録請求の範囲】
【請求項１】
高所剪定ハサミの竿部分に高圧ガス式薬剤入りスプレ−缶を保持装置で固定し剪定ハサミ刃の稼働装置の操作運動を利用し、刃の開閉に合わせスプレ−缶のヘッドを本考案の押し板装置により薬剤を噴霧する装置。
【考案の詳細な説明】
【技術分野】
【０００１】  本考案は、薬剤入りスプレ−缶の噴霧を遠隔操作する高所剪定ハサミ刃の開閉操作を利用した害虫駆除装置に関する。
【背景技術】
【０００２】  従来の高所剪定ハサミには、剪定ノコギリや枝掴みは付属装置としてある。
【考案の開示】
【考案が解決しようとする課題】
【０００３】    従来、害虫駆除には、高圧式やガススプレ−式噴霧器を使用している。
しかし、これら作業には次の様な欠点があった。
（１）高所、遠距離消毒が出来ない。
（２）害虫駆除の噴霧距離が近い為、身体に害虫被害や薬剤被害を受けやすい。
（３）高所消毒は、梯子や脚立使用をしたり、自ら植木に登り作業することは危険を伴う。
本考案は、これらの欠点を除く為になされたものである。
【課題を解決しようとする手段】
【０００４】  そこで、高所剪定ハサミの竿部分に高圧ガス薬剤入りスプレ−缶を保持装置で固定し、剪定ハサミ刃の稼働装置の操作運動を利用し、刃の開閉に合わせスプレ−缶のヘッドを本考案の押し板装置により薬剤を噴霧する。
【考案の効果】
【０００５】  よって、本考案の害虫駆除装置により高所及び遠距離位置での害虫駆除及び遠距離操作出来るため身体に害虫被害や薬剤被害、梯子や脚立からの転落落下による危険防止する。
【考案を実施するための最良の形態】
【０００６】  本考案に係わる害虫駆除装置は、図１及び図２に示すように剪定ハサミ刃▲１▼を手元の刃稼働レバ−▲２▼の剪定状態により、竿▲３▼内部のワイヤ−▲４▼は連動棒▲５▼により稼働する。連動棒▲５▼に本考案の装置の押し板▲６▼を固定する。竿▲３▼部分に保持具▲７▼にて薬剤入りスプレ−缶▲８▼を固定する。本装置の噴霧作動時は図２の如く押し板▲６▼がスプレ−缶▲８▼のヘッド▲９▼を押し下げて薬剤を噴霧する。噴霧中止時は図１の状態である。
【図面の簡単な説明】
【０００７】  本考案に係わる害虫駆除装置を高所剪定ハサミに取り付けた状態の断面図である。
【図１】    噴霧中止の状態時である。
【図２】    噴霧中の状態時である。
【符号の説明】
【０００８】  ▲１▼    剪定ハサミ刃
▲２▼    手元の刃稼働レバ−
▲３▼    竿
▲４▼    ワイヤ−
▲５▼    連動棒
▲６▼    保持具
▲７▼    薬剤入りスプレ−缶
▲８▼    押し板
▲９▼    ヘッド
【図１】
0003160885.tif 000003
【図２】
0003160885.tif 000004
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
竿と、前記竿の一方の端に取り付けられたハサミ刃と、前記竿のもう一方の端に取り付けられた刃稼働レバ−と前記刃稼働レバ−に取り付けられた前記竿の内部に配置されたワイヤ−と前記ワイヤ−と前記ハサミ刃とを連結する連動棒と、前記連動棒に固定された押し板と、前記押し板の上下運動によって薬剤入りスプレ−缶のヘッドを押して薬剤を噴霧出来る位置に設けられた、スプレ−缶を保持する様に前記竿に設けられた、スプレ−缶保持装置とからなる害虫駆除装置。
(57)【要約】      （修正有）【課題】被りの精度を向上し、簡単に効率よくベース枠組みができるベース枠支持具を提供する。【解決手段】ドーナツ状の一部を扇型に欠いたプラスチック部材と、凹型のプラスチック部材とからなる。凹型のプラスチックが弾性プラスチックであり、凹型のプラスチックの内側に突起状を有するラス金網の浮き止めのかえしがある。【選択図】図２
0003160889.tif 000002
【実用新案登録請求の範囲】
【請求項１】
一部、扇型に欠いたドーナツ状が特徴とするプラスチックと凹型が特徴とするプラスチックを組み合わせた、ベースラス支持具である。
【請求項２】
前記支持具は、鉄筋の太さや、ラス金網幅によって中心の径、凹型の深さが変えることのできる特徴がある請求項１記載の支持具である。
【請求項３】
凹型のプラスチックが弾性プラスチックでできた支持具である。
【請求項４】
凹型のプラスチックにラス金網の浮き止めのかえしのある、支持具である。
【考案の詳細な説明】
【技術分野】
【０００１】本考案は、配筋された基礎構築に使われるラス型枠支持具に関したもので、鉄筋に対して、ラス金網・地面との被りも確保できて、ベース枠組み時間が短縮され、肉体的疲労が軽減できるベース支持具に関するものである。
【背景技術】
【０００２】従来の支持具は、鋼製型枠の連結ピンに支持金物を取り付けてラス金網を結束線等で縛り付けたり、土間に打ち込み固定した固定板に立設させる等のものである。
【先行技術文献】
【特許文献】
【０００３】特許公開２００８−２４８５２６
【考案の概要】
【考案が解決しようとする課題】
【０００４】しかしながら、以上の技術によれば、支持金物の場合は直接鋼製型枠に取り付ける為、被りが均等ではなく、ベース幅が広がれば延長金物も必要となり、支持具だけでもかなりの数量・重量になる。設置時・回収時の運搬や、長時間腰をかがめてラス金網を縛り付ける作業で肉体的疲労も多い。
また、固定した固定板の場合は、ラス金網の長さに合わせて固定する。もしくは、固定した後でラス金網の長さを調節しなければならない。出隅・入隅部などは、固定する取り付け位置が限定されてくる。ベース拡張などのスラブ筋に対しても、ラス金網の位置決めや、単独での固定が困難で時間がかかってしまうのである。ベース天端の位置に支持具がかかり、鏝ならしがしずらく、完成後の見栄えも良くないのである。
そこでこの考案は、被りの精度向上と、肉体的疲労を軽減させ、なおかつ簡単に効率よくベース枠組みができる、ベース枠支持具を提供することを課題とする。
【課題を解決するため手段】
【０００５】以上の課題を解決するために、本考案は被りを確保するために用いられる一部扇型に欠いたドーナツ状が特徴のプラスチックと、ラス金網幅とほぼ同等の凹型が特徴のプラスチックを組み合わせたベース枠の支持具である。
【考案を実施するための形態】
【０００６】本考案は、以上のような構造であるから、これを使用するときは、適度のスパンで一部扇型に欠いたドーナツ状のプラスチック１をベース筋４の側筋にはめ込み、凹型のプラスチック２にラス金網３を差し込む。
【０００７】なお、本考案の実施にあたって次の如きができる。
（イ）鉄筋径により一部扇型に欠いたドーナツ状のプラスチック１の中心径が変わる。
（ロ）ベース厚により凹型のプラスチック２の深さが変わる。
（ハ）凹型のプラスチック２が弾性プラスチックでラス金網を挟み込むことができる。
（ニ）凹型のプラスチック２にラス金網３の浮き止めのかえしを付けることができる。
【考案の効果】
【０００８】したがって本考案は、一部扇型に欠いたドーナツ状のプラスチックで、ラス金網・地面との被りが確保でき、全体をプラスチックにすることで軽量になり、また、ラス金網も凹型のプラスチックに上から差し込むだけでよく、肉体的疲労もかなり軽減される。ラス金網同士のジョイント部に取り付ければ、結束の手間も無くなる。本体の幅も薄くベース筋の側筋があるところであればどこでも取り付けが可能である。なにより、ベース筋の側筋にはめ込むだけで設置完了となるのである。ベース天端に突起が無いので、鏝ならしもスムーズにでき、埋め殺しなので打設後の回収が必要なくなるのである。この様に、作業効率が向上し、肉体的にもやさしい支持具である。
【図面の簡単な説明】
【０００９】
【図１】本考案の正面図である。
【図２】本考案の側面図である。
【図３】本考案の平面図である。
【図４】本考案の使用中の斜視図である。
【図５】本考案の使用後の断面図である。
【符号の説明】
【００１０】１、一部扇型に欠いたドーナツ状のプラスチック
２、凹型のプラスチック
３、ラス金網
４、基礎のベース筋
５、基礎の主筋
【図１】
0003160889.tif 000003
【図２】
0003160889.tif 000004
【図３】
0003160889.tif 000005
【図４】
0003160889.tif 000006
【図５】
0003160889.tif 000007
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
ドーナツ状の一部を扇型に欠いたプラスチック部材と、凹型のプラスチック部材とからなるベースラス支持具。
【請求項２】
凹型のプラスチックが弾性プラスチックであることを特徴とする請求項１に記載のベースラス支持具。
【請求項３】
凹型のプラスチックの内側に突起状を有するラス金網の浮き止めのかえしのある、請求項１に記載のベースラス支持具。
(57)【要約】      （修正有）【課題】従来構造のＬ形擁壁に何ら手を加えることなくフェンス用ポールを固定支持する構成を提供する。【解決手段】現在あるＬ形擁壁１と連結金具３をそのまま利用し、該Ｌ形擁壁の植込みボルト２を連結金具３と共用してフェンス用ポール取付金具５を構成し、これによりフェンス用ポール４を固定支持する構成とする。【選択図】図１
0003160888.tif 000002
【実用新案登録請求の範囲】
【請求項１】
現在あるＬ形擁壁と連結金具をそのまま利用し、該Ｌ形擁壁の植込みボルトを連結金具と共用してフェンス用ポール取付金具を構成し、これによりフェンス用ポールを固定挟持してなるＬ形擁壁
【考案の詳細な説明】
【技術分野】
【０００１】  本考案は、プレキャストのＬ形擁壁を連結配設する連結金具を利用してフェンス用ポールを直立支持せしめる構成に関わる。
【背景技術】
【０００２】  従来、フェンス用ポールはＬ形擁壁に対して独立して直立固定、又は該Ｌ形擁壁に一体にフェンス用ポール支持部を構成する技術がある。
【考案の開示】
【考案が解決しようとする課題】
【０００３】  本考案が解決しようとする課題は、従来構造のＬ形擁壁に何ら手を加えることなくフェンス用ポールを固定支持する構成を提供するものである。
【課題を解決するための手段】
【０００４】  上記課題を解決するための技術的手段は、現在あるＬ形擁壁と連結金具をそのまま利用し、該Ｌ形擁壁の植込みボルトを連結金具と共用してフェンス用ポール取付金具を構成し、これによりフェンス用ポールを固定支持するものである。
【考案の効果】
【０００５】  フェンス用ポール取付金具を一個附加するだけでフェンス用ポールを自立させることを得、従来の如くＬ形擁壁に特殊構造を導入したり、フェンス用ポールを独立して直立固定する手段を講じる必要がなくなるものであり、実用的効果高いものである。
【実施例】
【０００６】  以下、本考案の実施の形態について図面を用いて説明する。図１に於いて１は連結金具３を取付ける植込みボルト２を有するプレキャストのＬ形擁壁、４はフェンス用ポール、５は該フェンス用ポール４を挟持するフェンス用ポール取付金具、６及び７は固定用ナットであり、連結金具３及びフェンス用ポール取付金具５が接している場合はナット６は無くてもよい。
【図面の簡単な説明】
【０００７】
【図１】本考案の一部分離状、全体斜視図を示す。
【符号の説明】
【０００８】１、      Ｌ形擁壁
２、      植込みボルト
３、      連結金具
４、      フェンス用ポール
５、      フェンス用ポール取付金具
６、      ナット
７、      ナット
0003160888.tif 000003
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
現在ある、路盤上に安定に敷設する平板状の長方形の座板、及び該座板の長手方向一端に擁壁部となる直立板からなるＬ形擁壁と、これを相連ねる連結金具をそのまま利用し、該Ｌ形擁壁の植込みボルトを連結金具と共用してフェンス用ポール取付金具を構成し、これによりフェンス用ポールを固定挟持してなるＬ形擁壁。
【手続補正２】
【補正対象書類名】図面
【補正対象項目名】全図
【補正方法】追加
【補正の内容】
【図１】
0003160888.tif 000004
(57)【要約】      （修正有）【課題】シャッターの芯棒に目隠し板を上下の隙間をあけ、角度付けて装着することにより、隣人、通行人の視線を遮へいすると同時に強風下の風圧の低減と風通しを良好にした目隠し板付シャッターを提供する。【解決手段】伸縮式シャッターの主要部品はリードカマチ２、ジョイントバー、芯棒３及び上下レール５で構成されている。伸縮式シャッターの芯棒に目隠し板４を上下隙間あけて取付ける。これにより、通行人等の視線を防ぎプライバシーの保護と風圧低減、風通しを良好にする。【選択図】図２
0003160855.tif 000002
【実用新案登録請求の範囲】
【請求項１】
マンション、雑居ビル等の共有スペースにシャッターを設置する場合、通常の伸縮形シャッター場合、隙間から居住部が丸見えとなる。この視線を防ぐため目隠し板を図３、図４に示すように伸縮シャッターの芯棒に角度をつけ上下隙間をあけて取付ける事により、通行人、隣人の視線を防ぐと同時に強風下の風圧を低減すると共に風通しを良好とした事を特徴とした防炎を兼ねた目隠し板付伸縮形シャッターに関するものである。
【考案の詳細な説明】
【技術分野】
【０００１】  現状の伸縮シャッターを共有スペースに設置したとき芯棒と芯棒の隙間から通行人など他人の視線がプライバシー上の問題になる。このためシャッターの芯棒に目隠し板を装着した伸縮形シャッターに関するものである。
【背景技術】
【０００２】  マンション、雑居ビル等の共有スペースにおいて、エレベーターホール等を設けた場合、エレベーターホールにいたる通路から通行人などの視線を防ぐため、遮へい板またはシャッターを設けていた。
【考案の開示】
【考案が解決しようとする課題】
【０００３】  本考案は共有スペースに仕切り用の伸縮シャターを設置する場合、シャッターの隙間から居住部が見えるといったプライベート上の問題があるため、目隠し板を、角度をつけて上下の隙間をあけて、シャッターの芯棒に装着することにより、他人の視線を遮へいすると同時に強風下の風圧を低減して風通しを良好とした事、及び火災時の防炎効果により、前述の問題を解決しようとするものである。
【問題を解決するための手段】
【０００４】  本考案は、シャッターの芯棒に目隠し板を上下の隙間をあけ、角度付けて装着することにより、隣人、通行人の視線を遮へいすると同時に強風下の風圧の低減と風通しを良好にしたことにより、プライベートの保護と風圧および風通しの問題を解決している。
【考案の効果】
【０００５】  本考案の目隠し板付シャッターは、芯棒に目隠し板が上下に隙間をあけて取付けられているため、通行人、隣人の居住部への視線を遮へいしている。従って、従来の伸縮シャッターのように他人の視線を気にすることなくプライバシーの保護ができると同時に強風下風圧の低減及び風通しも良好となっている。
【考案を実施するための最良の形態】
【０００６】  伸縮式シャッターの主要部品はリードカマチ、ジョイントバー、芯棒及び上下レールで構成されている。本考案は、伸縮式シャッターの芯棒に目隠し板を上下隙間あけて取付ける。これにより、通行人等の視線を防ぎプライバシーの保護と風圧低減、風通しを良好にすることを特徴としている。
【実施例】
【０００７】  以下、添付図面に従って説明する。伸縮式シャターの芯棒３に目隠し板４を取付ける。目隠し板４は、図１、図２、図３及び図４に示すように角度を付け上下隙間をあけて装着している。
【図面の簡単な説明】
【０００８】
【図１】本考案の全体構成の実施例その１の正面図である。
【図２】本考案の全体構成の実施例その２の正面図である。
【図３】本考案の全体構成の実施例その１の平面図である。
【図４】本考案の全体構成の実施例その２の平面図である。
【図５】本考案の全体構成の実施例その１の断面図である。
【図６】本考案の全体構成の実施例その２の断面図である。
【図７】共有スペースの全体平面図の参考例である。
【符号の説明】
【０００９】１．戸あたり
２．リードカマチ
３．芯棒
４．目隠し板
５．レール
６．固定柱
７．シャッター
【図１】
0003160855.tif 000003
【図２】
0003160855.tif 000004
【図３】
0003160855.tif 000005
【図４】
0003160855.tif 000006
【図５】
0003160855.tif 000007
【図６】
0003160855.tif 000008
【図７】
0003160855.tif 000009
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
マンション、雑居ビル等の共有スペースにシャッターを設置する場合、通常の伸縮形のシャッターは、隙間から居住部が丸見えとなるため、この視線を防ぐため目隠し板を伸縮シャッターの芯棒に角度をつけ装着する事により、通行人、隣人の視線を防ぐ事を特徴とした目隠し板付シャッター。
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
マンション、雑居ビルの共有スペースにシャッターを設置する場合、伸縮形のシャッターは、隙間から居住部が丸見えとなるため、この視線を防ぐため目隠し板を伸縮シャッターの芯棒に角度をつけて装着した事を特徴とする目隠し板付シャッター。
(57)【要約】      （修正有）【課題】ＦＤＬランプ用フォルダーに使用できるＬＥＤランプソケットを提供する。【解決手段】ＦＤＬランプ用フォルダーに取り付ける為の共通となる溝を、ソケットの対角に配置し、溝の深さ、幅を同一とする。【選択図】図１
0003160858.tif 000002
【実用新案登録請求の範囲】
【請求項１】
ＦＤＬランプ用フォルダーに接続されるＬＥＤソケットが、フォルダー形状に共通となる共用溝を特徴とするソケット。
【請求項２】
共用溝はソケットの対角にそれぞれ２本の溝を配置し、長さ（深さ）、幅を同一どするソケット。
【考案の詳細な説明】
【技術分野】
【０００１】
コンパクト型蛍光灯ランプ(ＦＤＬ)のフォルダーを使用し、ＦＤＬ照明器具本体を交換すること無くＬＥＤランプを取付け照明器具本体を使用する。
ＬＥＤランプのソケットをＦＤＬ型共通ソケットにする事により、ＦＤＬ照明器具を使用し省エネルギー、ＣＯ２削減を目的とする。
【背景技術】
【０００２】
ＦＤＬランプのソケットはランプの明るさにより消費電力が異なり、ソケットの溝形状を変えることにより誤使用を避けるようになっている。ＬＥＤランプは消費電力が小さく、どのタイプのＦＤＬランプにも代用が可能となっている為、共用のソケットを製作し使用できるようにする。
【考案の概要】
【考案が解決しようとする課題】
【０００３】
ＦＤＬランプ用フォルダーにＬＥＤランプソケットを使用できるようにすること。
【課題を解決するための手段】
【０００４】
ＦＤＬランプ用フォルダー溝形状に共用使用できるよう、ソケットコーナーの対角線上に二本の同じ形状、深さの溝を配置する。
【考案の効果】
【０００５】
ＦＤＬ照明器具(複数機種)へＬＥＤランプの取付けが可能となる。
【図面の簡単な説明】
【０００６】
共通ソケットの形状
【図１】ソケット（底面）正面共通溝形状
【図２】ソケット側面  共通溝長さ（深さ）形状
【考案を実施するための形態】
【０００７】
ＦＤＬランプ用フォルダー溝形状に共用使用できるよう、ソケットコーナーの対角線上に二本の同じ形状、深さの溝を配置する。
【実施例】
【０００８】
ＬＥＤランプのソケットをＦＤＬ型共通ソケットにする事により、ＦＤＬ照明器具を使用する。
【産業上の利用可能性】
【０００９】
共通ソケットにする事により製品の製造コストの削減だけではなく、使用者の初期費用のコスト削減も図られる。
【図１】
0003160858.tif 000003
【図２】
0003160858.tif 000004
【手続補正書】
【提出日】平成22年1月15日(2010.1.15)
【手続補正１】
【補正対象書類名】実用新案登録請求の範囲
【補正対象項目名】全文
【補正方法】変更
【補正の内容】
【実用新案登録請求の範囲】
【請求項１】
ＦＤＬランプ用フォルダーに共通となる溝を特徴とするＬＥＤランプソケット。
【請求項２】
請求項１のＬＲＤランプソケット共用溝は、ソケットの対角にそれぞれ２本の溝を配置し、溝の深さ、幅を同一とするソケット。
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
８、１３、１８、２７各ワットのＦＤＬランプ用フォルダーに取り付ける為の共通となる溝を特徴とするＬＥＤランプソケット。
【請求項２】
請求項１のＬＥＤランプソケット共用溝は、ソケットの対角にそれぞれ２本の溝を配置し、溝の深さ、幅を同一とすることを特徴とする請求項１に記載されたＬＥＤランプソケット。
(57)【要約】      （修正有）【課題】足の裏の刺激と水虫の予防のため、足の指を広げて通気性良化を図ることが出来る健康器具を提供する。【解決手段】足の健康器具１００は水虫を防止する機能を備えるための突起１が設置されている。また、足の裏を刺激するために、くぼみ２を設置し、球体３を足の裏で転がす装置である。球体３で足の裏を刺激して、足を前後することにより、突起１を足の指で挟むことを可能とし、足の総合的な健康効果を供することができる健康器具を形成する。【選択図】図１
0003160859.tif 000002
【実用新案登録請求の範囲】
【請求項１】
着脱可能な突起を備えた、足の健康器具
【請求項２】
足の裏を刺激する球体が、足の健康器具から脱落しないためのくぼみ
【考案の詳細な説明】
【技術分野】
【０００１】  本考案は、足を刺激する健康器具において、水虫予防機能を備えた健康器具に関する。
【背景技術】
【０００２】  従来、足を足の裏を刺激する健康器具は、突起や球体により刺激をするものなどがある。
【先行技術文献】
【特許文献】
【０００３】  特許公開２００５−３４９１４７
【考案の概要】
【考案が解決しようとする課題】
【０００４】  従来のものは、足の裏に対する刺激に限るものである。
【課題を解決するための手段】
【０００５】  本考案はゴルフボール等の球体で足の裏を刺激しつつ、付属する突起が足の指を広げる。
【考案の効果】
【０００６】本考案による、付属する突起が足の指を広げ、空気に触れさせることにより、水虫の予防につながる。
【図面の簡単な説明】
【０００７】
【図１】本考案の実施の形態における、足の健康器具１００を表す図である。
【図２】足の健康器具１００に着脱可能な突起１である。
【考案を実施するための形態】
【０００８】本考案の実施の形態について図面を参照して詳細に説明する。
【０００９】図１は本考案の実施の形態における、足の健康器具１００を表す図である。足の健康器具１００は水虫を防止する機能を備えるための突起１が設置されている。また、足の裏を刺激するために、くぼみ２を設置し、球体３を足の裏で転がす装置である。
【００１０】突起１は、通常４本設置してある。これは足の指５本で挟む為である。また、図２でも参照しているように、着脱可能であり、用途に応じて本数が調節である。この突起を足の指で挟むことにより、普段は密接している足の指を開き、通気良化、湿度低下させることにより、水虫防止の効果を備える。
【００１１】くぼみ２は、球体３を足の裏で転がすためのスペースであり、球体３が脱落しないための縁でもある。
【００１２】球体３で足の裏を刺激して、足を前後することにより、突起１を足の指で挟むことも可能とする。
【符号の説明】
【００１３】１００  健康器具装置
１  突起
２  くぼみ
３  球体
【図１】
0003160859.tif 000003
【図２】
0003160859.tif 000004
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
足の指を挟む為の円柱を有する足の健康器具
【請求項２】
足の裏を刺激する球体が、足の健康器具から脱落しないためのくぼみを有する請求項１記載の足の健康器具
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
本体の土台に、足の指を挟む為の「円柱状の突起」を有する、足の健康器具
【請求項２】
球体を足の裏で転がすことにより、足の裏を刺激することを目的とするのが本考案であり、土台から球体が転げ落ちない為に、土台にくぼみを有する請求項１記載の足の健康器具
【手続補正書】
【提出日】平成22年4月16日(2010.4.16)
【手続補正１】
【補正対象書類名】実用新案登録請求の範囲
【補正対象項目名】全文
【補正方法】変更
【補正の内容】
【実用新案登録請求の範囲】
【請求項１】
本体の土台に、足の指を挟む為の「円柱状の突起」を有する、足の健康器具
【請求項２】
土台にくぼみを有するとともに球体が設けられた請求項１記載の足の健康器具